(57)【要約】【課題】何度でも書き換え可能な記録媒体に記録された情報を、必要に応じてデジタル情報として入手し、例えば再加工や再利用を容易に行うことができる情報書き込みシステムを提供する。【解決手段】媒体書き込み装置１は、記録媒体３に書き込むべき情報を取得して、その情報を適宜書き込み可能な形式に変換して記録媒体３に書き込む。また、ＩＤ取得部２は、その記録媒体３から、あるいはユーザの入力によって媒体ＩＤを取得する。媒体ＩＤと書き込んだ情報の所在を示す情報がサーバ５に送られ、両者を対応づけたインデックス情報６として保存される。後で記録媒体３に書き込んだ情報を再利用する際は、媒体ＩＤを特定してサーバ５からインデックス情報を取得すれば、元の情報を取得することができ、再利用、再加工を容易に行うことができる。【選択図】　図１
2004139548.tif 000002
【特許請求の範囲】
【請求項１】
書き換え可能な記録媒体に情報を書き込むとともに前記記録媒体を特定する媒体ＩＤを取得する書き込み手段と、前記媒体ＩＤと前記書き込み手段が前記記録媒体に書き込んだ前記情報とを対応づけるインデックス情報を保存するサーバを有することを特徴とする情報書き込みシステム。
【請求項２】
前記書き込み手段は、媒体ＩＤを前記記録媒体から読み取ることを特徴とする請求項１に記載の情報書き込みシステム。
【請求項３】
前記書き込み手段は、媒体ＩＤをユーザが入力するための入力手段を有することを特徴とする請求項１に記載の情報書き込みシステム。
【請求項４】
前記サーバは、前記媒体ＩＤに基づく認証を行い、認証が成功した場合に前記インデックス情報を保存することを特徴とする請求項１ないし請求項３のいずれか１項に記載の情報書き込みシステム。
【請求項５】
前記サーバが保存する前記インデックス情報は、前記書き込み手段が前記記録媒体に書き込んだ前記情報の所在を示す情報を含むことを特徴とする請求項１ないし請求項４のいずれか１項に記載の情報書き込みシステム。
【請求項６】
前記サーバが保存する前記インデックス情報は、前記書き込み手段が前記記録媒体に書き込んだ前記情報そのものを含むことを特徴とする請求項１ないし請求項４のいずれか１項に記載の情報書き込みシステム。
【請求項７】
前記サーバは、外部からの前記媒体ＩＤを特定した要求に応じて、保持している前記インデックス情報のうち前記媒体ＩＤに対応するインデックス情報の全部または一部を返送することを特徴とする請求項１ないし請求項６のいずれか１項に記載の情報書き込みシステム。
【請求項８】
書き換え可能な記録媒体に情報を書き込むとともに前記記録媒体を特定する媒体ＩＤを取得する書き込み手段と、前記媒体ＩＤと前記書き込み手段が前記記録媒体に書き込むべき情報とを対応づけるインデックス情報を保存するサーバを有し、前記書き込み手段は、前記記録媒体から取得した前記媒体ＩＤに対応づけられている情報を前記記録媒体に書き込むことを特徴とする情報書き込みシステム。
【請求項９】
前記サーバは、前記インデックス情報として、前記媒体ＩＤと、前記書き込み手段が前記記録媒体に書き込むべき情報を特定する情報を保持していることを特徴とする請求項８に記載の情報書き込みシステム。
【請求項１０】
前記サーバは、前記特定する情報に基づいて前記記録媒体に書き込むべき情報を検索することを特徴とする請求項９に記載の情報書き込みシステム。
【請求項１１】
前記書き込み手段は、前記サーバから前記媒体ＩＤに対応する前記特定する情報を取得し、前記特定する情報を用いて前記記録媒体に書き込むべき情報を取得して前記記録媒体に書き込むことを特徴とする請求項９または請求項１０に記載の情報書き込みシステム。
【請求項１２】
前記書き込み手段は、前記媒体ＩＤあるいは前記サーバから取得した前記特定する情報に従って広告情報を前記記録媒体に書き込むべき情報とともに書き込むことを特徴とする請求項８ないし請求項１１のいずれか１項に記載の情報書き込みシステム。
【請求項１３】
前記サーバは、前記書き込み手段で前記記録媒体から取得した前記媒体ＩＤに対応する前記特定する情報に従って前記記録媒体に書き込むべき情報を前記書き込み手段に与えることを特徴とする請求項９または請求項１０に記載の情報書き込みシステム。
【請求項１４】
前記サーバは、前記媒体ＩＤあるいは前記特定する情報に従って広告情報を前記記録媒体に書き込むべき情報とともに前記書き込み手段により前記記録媒体に書き込ませることを特徴とする請求項８ないし請求項１０のいずれか１項に記載の情報書き込みシステム。
【請求項１５】
前記サーバは、前記書き込み手段で前記記録媒体から取得した前記媒体ＩＤに基づいて該記録媒体の利用に関する情報を蓄積することを特徴とする請求項８ないし請求項１４のいずれか１項に記載の情報書き込みシステム。
【請求項１６】
前記サーバは、前記記録媒体の利用に関する情報に従って広告情報を前記記録媒体に書き込むべき情報とともに前記書き込み手段により前記記録媒体に書き込ませることを特徴とする請求項１５に記載の情報書き込みシステム。
【請求項１７】
前記書き込み手段と前記サーバは、ネットワークを用いて通信を行うことを特徴とする請求項１ないし請求項１６のいずれか１項に記載の情報書き込みシステム。
【請求項１８】
前記記録媒体は光書込表示媒体であり、前記書き込み手段は、前記情報を画像として前記光書込表示媒体に光書き込みを行うことを特徴とする請求項１ないし請求項１７のいずれか１項に記載の情報書き込みシステム。
【請求項１９】
前記媒体ＩＤは、バーコード、ＲＦ−ＩＤタグ、もしくは非接触ＩＣとして記録されたものであり、前記記録媒体と一体化されていることを特徴とする請求項１ないし請求項１８のいずれか１項に記載の情報書き込みシステム。
【請求項２０】
書き換え可能な記録媒体に情報を書き込む書き込み手段と、前記記録媒体を所有するユーザを特定するユーザＩＤを取得するＩＤ取得手段と、前記ユーザＩＤと前記書き込み手段が前記記録媒体に書き込んだ前記情報とを対応づけるインデックス情報を保存するサーバを有することを特徴とする情報書き込みシステム。
【請求項２１】
前記サーバは、前記ユーザＩＤに基づく認証を行った後に前記インデックス情報の保存を行うことを特徴とする請求項２０に記載の情報書き込みシステム。
【請求項２２】
前記サーバは、外部からのインデックス情報の取り出し要求に応じて、前記ユーザＩＤに基づく認証を行った後に前記ユーザＩＤに対応するインデックス情報の全部または一部を返送することを特徴とする請求項２０または請求項２１に記載の情報書き込みシステム。
【請求項２３】
前記サーバが保存する前記インデックス情報は、前記書き込み手段が前記記録媒体に書き込んだ前記情報の所在を示す情報を含むことを特徴とする請求項２０ないし請求項２２のいずれか１項に記載の情報書き込みシステム。
【請求項２４】
前記サーバが保存する前記インデックス情報は、前記書き込み手段が前記記録媒体に書き込んだ前記情報そのものを含むことを特徴とする請求項２０ないし請求項２２のいずれか１項に記載の情報書き込みシステム。
【請求項２５】
前記書き込み手段と前記サーバは、ネットワークを用いて通信を行うことを特徴とする請求項２０ないし請求項２４のいずれか１項に記載の情報書き込みシステム。
【請求項２６】
前記記録媒体は光書込表示媒体であり、前記書き込み手段は、前記情報を画像として前記光書込表示媒体に光書き込みを行うことを特徴とする請求項２０ないし請求項２５のいずれか１項に記載の情報書き込みシステム。
【請求項２７】
外部から情報の書き換えが可能な記録媒体に該記録媒体を特定する媒体ＩＤを付与しておき、前記記録媒体に情報を書き込むとともに前記媒体ＩＤを取得し、前記媒体ＩＤと前記記録媒体に書き込んだ前記情報とを対応づけてインデックス情報として保存しておくことを特徴とする情報書き込み方法。
【請求項２８】
外部から情報の書き換えが可能な記録媒体に該記録媒体を特定する媒体ＩＤを付与しておき、また前記媒体ＩＤと前記記録媒体に書き込むべき情報とを対応づけるインデックス情報を登録しておき、前記媒体ＩＤを読み出し、前記インデックス情報を用いて前記媒体ＩＤに対応づけられている情報を前記記録媒体に書き込むことを特徴とする情報書き込み方法。
【請求項２９】
予めユーザに対して該ユーザを特定するユーザＩＤを発行しておき、書き換え可能な記録媒体に情報を書き込むとともに、前記記録媒体を所有するユーザの前記ユーザＩＤを取得し、前記ユーザＩＤと前記記録媒体に書き込んだ前記情報とを対応づけてインデックス情報として保存しておくことを特徴とする情報書き込み方法。
【発明の詳細な説明】
【０００１】
【発明の属する技術分野】
本発明は、外部から情報を書き込むことが可能な記録媒体を用い、そのような記録媒体に情報を書き込む情報書き込みシステム及び情報書き込み方法に関するものである。
【０００２】
【従来の技術】
コンピュータのモニタ画面で閲覧可能なテキストや画像等の電子ドキュメントに含まれる情報を、別の場所に移動して利用したり、後でもう一度眺める場合や、注意を喚起する目的などで常に目に見える場所に掲示しておきたい場合がある。このような場合には、例えば、その情報を表示しているコンピュータ等のアプリケーションソフトウェアの印刷機能を使用し、プリンタにより紙に印刷して利用したり、又は、その情報が簡単な情報の場合には手帳や紙の断片に手書きによって記入することが一般的に行われている。
【０００３】
これらの情報は様々であるが、例えば、外出する予定の場所迄の路線図や地図、または、移動先で訪ねる面会相手の連絡先等、必要な部分だけを記した断片的な情報である場合もある。特に近年のインターネットの普及に伴い、種々の情報がＷＷＷ（Ｗｏｒｌｄ　Ｗｉｄｅ　Ｗｅｂ）上で流通しており、Ｗｅｂブラウザで閲覧が可能となっている。これらの情報の中には、上記のような断片的なものが多く含まれている。そのような断片的な情報が、地図や連絡先のようなものの場合、移動先に到着したり、その用事が終了した時点で不要となる、極めて一過性の情報であることが多い。
【０００４】
しかし、必要な情報がこのような断片的かつ一過性の情報であり、更にそれがモニタ画面に表示されている情報の一部分であっても、この情報をプリントアウトする際には、少なくとも１ページ分の紙を使用する必要がある。この場合には、長期間の使用や保存が前提の文書情報に比べて、利用時間が短く、かつ版面率の少ない白紙領域の多いプリントとなる。そのため、紙資源を無駄に消費することとなる。また、ディスプレイ画面に表示している情報をプリンタ用の印刷データに展開する必要があるため、時間がかかる。更に、例えば、Ｗｅｂブラウザ上で複雑なフレームで分割されている画面等の情報は、表示画面と同じように印刷されないこともある。
【０００５】
一方、プリントではなく、手帳などへの手書きによって必要な情報を書き写せば、用紙の無駄な消費を防ぐことはできる。しかし、テキストではない細かい地図情報などは書き写すことが困難で、時間と労力がかかる。
【０００６】
上記のディスプレイ表示画面と印刷画像の相違や印刷時間の省略及び装置の小型化を目的として、例えば特許文献１、特許文献２、特許文献３等に記載されている画像形成技術も知られている。これらの文献に記載されている技術は、携帯性に優れ、光に感応して発色する感光紙を液晶などのディスプレイ画面に密着させ、ディスプレイ画面からの光を感光紙に照射して画像を写し取る画像形成装置に関するものである。しかしながら、これらの画像形成技術では、画像を記録する際に感光紙を用いており、この感光紙は、一度使用すると再使用は出来ない消耗品である。従って、前述した通常の紙にプリントする場合と同様に、資源を短時間で消費してしまうことになり、環境に対する影響を排除できないという課題がある。
【０００７】
そこで、上記のような問題を解決すべく、特許文献４に記載されている画面情報複写方法では、画像やテキスト情報の一部または全部の情報を光学パターンとして、書き換え可能な表示記録媒体に可視的な画像として表示記録することが提案されている。この方法によって、モニタ画面等に表示された任意の情報の一部または全部を、携帯性に優れ、環境に与える影響を抑え、また、何度でも書き換え可能な表示記録媒体に、リアルタイムに画面と同等の画像情報を複写することができる。
【０００８】
しかしながら、この文献に記載されている画像形成装置等画像形成技術では、デジタルの情報を、一度光学パターンに変換した後に記録するために、情報がアナログ化してしまう。そのため、記録した情報を後で加工、利用する場合、例えば再度デジタルデータに変換する必要があるなど、取り扱いが困難であるという問題があった。
【０００９】
また、表示記録媒体が書き換え可能であるため、消去あるいは新たな情報を書き込んでしまうと、それまで表示していた内容は参照できなくなってしまう。従来から用いられている紙では、プリントした内容はなかなか消去することができないため、そのまま保存され、後で探せば内容を参照することができる。しかし、上述の表示記録媒体では、過去に表示していた内容を書き換え後に参照しようとしても参照できない。このような問題は、表示記録媒体に限らず、種々の書き換え可能な記録媒体において発生する問題である。
【００１０】
【特許文献１】
特開平４−９７１４３号公報
【特許文献２】
特開平６−９５０５８号公報
【特許文献３】
特開平１０−９７００４号公報
【特許文献４】
特開２００１−３０１２３３号公報
【００１１】
【発明が解決しようとする課題】
本発明は、上述した問題を解決すべくなされたものであり、任意の情報の一部または全部を、何度でも書き換え可能な記録媒体にリアルタイムに情報を記録することができるとともに、記録された情報を必要に応じてデジタル情報として入手し、例えば再加工や再利用を容易に行うことができる情報書き込みシステムを提供することを目的とするものである。
【００１２】
【課題を解決するための手段】
本発明は、予め、外部から情報の書き換えが可能な記録媒体、あるいは、そのような記録媒体を利用するユーザに対して、記録媒体を特定する媒体ＩＤあるいはユーザを特定するユーザＩＤを付与しておき、前記記録媒体に情報を書き込むとともに、媒体ＩＤあるいはユーザＩＤを取得し、媒体ＩＤあるいはユーザＩＤと、記録媒体に書き込んだ情報とを対応づけて、インデックス情報として保存しておくことを特徴とするものである。このようにして記録媒体に書き込んだ情報と媒体ＩＤあるいはユーザＩＤを対応づけたインデックス情報を、記録媒体に情報を書き込んだ履歴として保存しておく。そして、例えば媒体ＩＤやユーザＩＤを特定した要求に応じて、保持しているインデックス情報のうち、当該媒体ＩＤあるいはユーザＩＤに対応するインデックス情報の全部または一部を返送し、返送されたインデックス情報を利用して、それまでに記録媒体に書き込んだのと同じ情報を再利用し、あるいは再加工することが可能となる。
【００１３】
なお、インデックス情報としては、記録媒体に書き込んだ情報の所在を示す情報、あるいは、記録媒体に書き込んだ情報そのものを含むように構成することができる。また、媒体ＩＤを取得する際には、例えば記録媒体から読み取ったり、あるいはユーザが入力するように構成することができる。さらに、インデックス情報の保存時には、媒体ＩＤあるいはユーザＩＤに基づく認証を行うように構成することができる。
【００１４】
また本発明は、予め、外部から情報の書き換えが可能な記録媒体に対して記録媒体を特定する媒体ＩＤを付与しておくとともに、媒体ＩＤと記録媒体に書き込むべき情報とを対応づけるインデックス情報を登録しておく。そして、記録媒体から媒体ＩＤを読み出し、インデックス情報を用いて媒体ＩＤに対応づけられている情報を記録媒体に書き込むことを特徴とするものである。このようにして、予めインデックス情報を登録しておけば、記録媒体を書き込み手段にセットするだけで、記録媒体の媒体ＩＤに対応づけられている情報が自動的に記録媒体に書き込まれる。従って、利用者は記録媒体に書き込む情報を特に指定しなくても、常に適切な情報を入手することができる。
【００１５】
インデックス情報としては、媒体ＩＤと、記録媒体に書き込むべき情報を特定する情報、例えば情報の種類やアドレス、検索条件などを保持しておけばよい。そして、インデックス情報に基づいて、書き込み手段で記録媒体から取得した前記媒体ＩＤに対応して登録されている書き込むべき情報を特定する情報に従って、例えば情報を取捨選択し、あるいは検索するなどして、記録媒体に書き込むべき情報を書き込み手段において記録媒体に書き込めばよい。記録媒体に書き込むべき情報は、サーバから特定する情報を受け取って、その特定する情報に従って書き込み手段が取得するように構成してもよいし、あるいは、サーバから直接あるいは間接的に書き込み手段に送ってもよい。
【００１６】
記録媒体に情報を書き込む際には、広告情報をともに書き込むことができる。この広告情報は、例えば媒体ＩＤあるいは前記特定する情報などに従って広告情報を選択することができ、利用者に対して適切な広告情報を提供し、あるいは有効な広告を配信することが可能となる。
【００１７】
また、書き込み手段で記記録媒体から取得した媒体ＩＤに基づいて、その記録媒体の利用に関する情報を蓄積しておくこともできる。蓄積した情報は種々の用途に利用できるが、例えば上述の広告情報の選択に利用することができる。
【００１８】
利用する記録媒体としては、例えば光書込表示媒体とすることができ、情報を書き込む際には、情報を画像として光書込表示媒体に光書き込みを行うように構成することができる。この場合、記録媒体には情報は画像に変換されて書き込まれているので、そのままでは再利用、再加工は困難であるが、上述のようにインデックス情報を保存しておいて利用することによって、記録媒体に書き込んだ情報の再利用、再加工を容易に行うことができる。
【００１９】
また媒体ＩＤは、バーコード、ＲＦ−ＩＤタグ、もしくは非接触ＩＣとして記録されたものとすることができ、これらの媒体ＩＤは記録媒体と一体化しておくとよい。
【００２０】
このような情報書き込みシステムは、例えばＬＡＮやインターネットなどのネットワークを利用したシステムとして構築することができる。
【００２１】
【発明の実施の形態】
図１は、本発明の情報書き込みシステムの第１の実施の形態を示すブロック図である。図中、１は媒体書き込み装置、２はＩＤ取得部、３は記録媒体、４はネットワーク、５はサーバ、６はインデックス情報である。この例では、媒体書き込み装置１とサーバ５がネットワーク４によって通信可能に接続されているシステムの構成例を示している。ネットワーク４は、ＬＡＮやインターネット、あるいは専用の通信回線など、任意の通信手段で構成される。
【００２２】
媒体書き込み装置１は、ネットワーク４を介して得た情報など、取得した情報の全部または一部あるいはその情報を加工した結果を、記録媒体３に書き込む。後述するように記録媒体３として光書込表示媒体を用いる場合には、書き込む情報を画像に変換して、記録媒体３へ光書き込みを行う。もちろん、他の形式の記録媒体であれば、その記録媒体によって必要に応じて適切な処理を施し、その記録媒体に応じた書き込み方式に従って情報を書き込む。
【００２３】
また媒体書き込み装置１は、ＩＤ取得部２を有しており、情報の書き込みを行う記録媒体３を特定する媒体ＩＤを取得する。媒体ＩＤが記録媒体３に記録されている場合には、記録媒体３から媒体ＩＤを読み出せばよい。媒体ＩＤを読み出す方法は、媒体ＩＤの記録方法に従えばよい。例えば、記録媒体３内のメモリに記憶されているのであれば、電気的あるいは電磁気的に読み出せばよい。また、例えばバーコードや文字などで記録されている場合には、光学的に読み取ればよい。さらに、磁気的に記録されているのであれば磁気読み取りによって媒体ＩＤを取得すればよい。あるいは、媒体ＩＤをユーザが入力するように構成してもよい。
【００２４】
なお、媒体書き込み装置１は、例えば装置として独立したものであるほか、ネットワーク４に接続されたコンピュータ及びそのコンピュータに接続された書き込み装置などによって構成することができる。
【００２５】
記録媒体３としては、媒体書き込み装置１で情報を書き込み可能であればどのようなものでもよいが、ここでは一例として、光書込表示媒体であるとする。光書込表示媒体は、画像の表示光によって瞬時に画像の書き込みを行うことができる。書き込み時には電圧を加えるものの、書き込み終了後は無電源で書き込まれた画像を表示し続けることができる。従って、画像を書き込んでしまえば、従来より用いられている紙などと同様に、いつでも参照することができる。さらに書き換えが可能であるので、書き込まれている情報が不要となれば、書き換えて再利用することができ、環境に対する影響を軽減することができる媒体である。もちろん、記録媒体３としてＩＣカードや磁気カード、熱書き込みカードなど、種々の書き込み可能なカードを利用することが可能である。
【００２６】
この記録媒体３には、それぞれの記録媒体３が特定できるように媒体ＩＤが付与されている。上述のように、この媒体ＩＤの記録方法は任意であり、記録媒体３に対して情報を書き込む際の記録方法と同じでもよいし、別の記録方法を用いてもよい。例えばバーコードや文字などを予め印刷しておいて光学読取あるいはユーザによる入力を行うようにしてもよい。そのほかにも、媒体ＩＤとしてＲＦ−ＩＤタグや非接触ＩＣ等を用いることもできる。これらのＲＦ−ＩＤタグや非接触ＩＣなどは、記録媒体３と一体化しておくことができる。
【００２７】
サーバ５は、インデックス情報６を登録、保持し、要求に応じてインデックス情報を提供する。インデックス情報６は、媒体書き込み装置１が記録媒体３に対して情報を書き込んだ際に、その書き込んだ情報と、情報を書き込んだ記録媒体３の媒体ＩＤとを対応づけておく情報である。図２は、本発明の情報書き込みシステムの第１の実施の形態におけるインデックス情報６の一例の説明図である。この例では単純な例として、媒体ＩＤと、書き込んだ情報の所在を示すＵＲＬとを対応づけた例を示している。もちろん、情報の所在を示す情報はＵＲＬに限らないし、また、情報の所在を示す情報に代えてファイル名としたり、その情報そのものでもよい。インデックス情報６には、このほかにも、書き込み日時や、利用制限を行うための保護パスワード、検索時に利用可能な検索キーなど、そのほかの種々の情報をインデックス情報６として保持しておき、これらを用いた機能を利用可能としておくことができる。また、媒体ＩＤや書き込んだ情報あるいはその所在を示す情報などは、媒体書き込み装置１からネットワーク４を介して転送するように構成すればよい。
【００２８】
なお、サーバ５は媒体書き込み装置１から媒体ＩＤを受け取ると、その媒体ＩＤに基づく認証を行うように構成することができる。認証を行うことによって、サーバ５を利用（インデックス情報の保存）できる媒体を制限するとともに、不正なアクセスを排除することができる。認証の際には、媒体ＩＤのみで認証を行ってもよいし、そのほかの何らかの情報を併用してもよい。例えばユーザからの暗証の入力を受け付け、媒体ＩＤとともに利用して認証を行ってもよい。
【００２９】
さらにサーバ５は、ネットワーク４を介して図示しないコンピュータなどから、媒体ＩＤを特定したインデックス情報６の参照要求を受け付け、要求された媒体ＩＤを有するインデックス情報６の全部または一部を返送することができる。インデックス情報６の返送を受けたユーザは、例えばその中に記録媒体３に書き込んだ情報が含まれていれば、その情報を利用することができる。また、インデックス情報の中に情報の所在を示す情報が含まれている場合には、その所在を示す情報（ＵＲＬ等のアドレス）をもとに、情報に対してアクセスすれば、記録媒体３に書き込まれた情報を取得して利用することができる。あるいは、サーバ５においてインデックス情報６中の所在を示す情報から記録媒体３に記録した情報を特定し、その情報を保持するサーバに対して要求元への転送を指示したり、一旦、サーバ５が情報を取得して、要求元へ転送するように構成してもよい。いずれにしても、要求元において、媒体ＩＤから、当該媒体ＩＤの記録媒体３に対して書き込んだ情報を取得することができる。上述のように記録媒体３として光書込表示媒体を用いる場合などのように情報を画像として書き込んでいる場合には、そのまま記録媒体３から書き込んだ元の情報を復元することは困難であるが、上述のようにインデックス情報６を利用することによって、記録媒体３に書き込んだ元の情報を容易に取得することができ、再利用、再加工を容易に行うことができる。
【００３０】
なお、同じ記録媒体３を何回も再利用している場合、同じ媒体ＩＤで複数のインデックス情報６が保持されることになる。従って、情報を特定するために、媒体ＩＤで特定された１ないし複数のインデックス情報６のうちから、ユーザが所望する情報を選択できるように構成するとよい。また、このように１枚の記録媒体３に書き込んだ情報の履歴がインデックス情報６として残るので、このような書き換えの履歴を利用することも可能である。
【００３１】
図３は、本発明の情報書き込みシステムの第１の実施の形態における動作の一例を示すフローチャートである。まず媒体書き込み装置１では、Ｓ１１において、ネットワーク４を通じて記録媒体３に書き込むべき情報を取得する。例えばユーザが情報を指示したり、あるいはユーザが検索を行って取得するなど、情報の取得方法は任意である。もちろん、ネットワーク４を経由して取得するほか、媒体書き込み装置１を含むコンピュータなどで作成された情報であってもよい。
【００３２】
情報を取得したら、Ｓ１２において、その情報を書き込む記録媒体３の媒体ＩＤを取得する。上述のように媒体ＩＤの取得方法についても、媒体ＩＤの記録方法に応じて、例えば電気的、電磁気的（電波などを含む）、磁気的、光学的に取得するほか、ユーザによる入力など、種々の方法によって取得することができる。なお、媒体ＩＤが取得できない場合には、書き込みを行わないか、あるいはサーバ５との通信を行わずにインデックス情報を残さないように処理を行うことができる。
【００３３】
Ｓ１３において、Ｓ１１で取得した情報を記録媒体３に書き込む。正常に書き込めたら、Ｓ１４において、Ｓ１２で取得した媒体ＩＤと、記録媒体３に書き込んだ情報そのもの、あるいは、その情報の所在を示す情報などのインデックス情報６の生成に必要な情報をサーバ５に対して送信する。媒体書き込み装置１の処理としてはこれで終了してもよいが、ここではＳ１５においてサーバ５からの応答を待ち、Ｓ１６において、サーバ５からの応答を判定する。肯定応答であれば正常終了し、否定応答であればエラー処理を行う。
【００３４】
サーバ５では、媒体書き込み装置１のＳ１４の処理において送信された媒体ＩＤ、及び、記録媒体３に書き込んだ情報そのもの、あるいは、その情報の所在を示す情報などのインデックス情報６の生成に必要な情報をＳ２１で受け取ると、まずＳ２２において、媒体ＩＤを用いて認証を行う。認証が成功したら、Ｓ２３において、インデックス情報６を保存する領域を確保し、確保できたか否かをＳ２４で判定する。領域を確保できたら、Ｓ２５において、インデックス情報６を生成して保存する。このとき、インデックス情報６として、媒体ＩＤと情報のファイルあるいはＵＲＬ等の所在を示す情報を対応づける。なお、情報そのものを保存する場合であって、媒体書き込み装置１から情報の所在を示す情報のみが送られてくる場合には、サーバ５が情報の取得を行って、その時点での情報を確保しておくことができる。インデックス情報６を保存したら、Ｓ２６において、肯定応答を媒体書き込み装置１へ返送する。
【００３５】
なお、Ｓ２２で媒体ＩＤの認証に失敗した場合や、Ｓ２４で保存領域が確保できなかった場合には、Ｓ２７において、媒体書き込み装置１に対して否定応答を返送する。
【００３６】
このようにしてサーバ５に保存されたインデックス情報６は、媒体ＩＤを特定することによって利用することができる。ユーザは、例えばネットワーク４に接続された図示しないコンピュータなどから、媒体ＩＤを指定してインデックス情報６の取得をサーバ５に対して要求する。媒体ＩＤの指定は、例えばユーザが媒体ＩＤを入力したり、媒体ＩＤの読取装置を用いることができる。媒体書き込み装置１に設けられているＩＤ取得部２を用いることも可能である。
【００３７】
サーバ５は、ユーザからの要求に応じて、インデックス情報６のうち指定された媒体ＩＤに対応づけられているものを検索し、それぞれのインデックス情報６の一覧をユーザに返す。ユーザは、インデックス情報６の一覧から、記録媒体３に書き込んだ情報の履歴を知ることができ、必要に応じて所望の情報を取得して、その情報を再利用したり、あるいは再加工して利用することができる。なお、インデックス情報６中に情報の所在を示す情報が含まれている場合には、その所在を示す情報を利用して、記録媒体３に過去に書き込んだ情報を取得することができる。
【００３８】
図４は、本発明の情報書き込みシステムの第２の実施の形態を示すブロック図である。図中、図１と同様の部分には同じ符号を付して重複する説明を省略する。７はユーザＩＤ取得部である。上述の第１の実施の形態では、インデックス情報６として媒体ＩＤと情報あるいは情報の所在を示す情報を対応づけたが、この第２の実施の形態では、ユーザに対してＩＤを付与しておき、ユーザＩＤと情報あるいは情報の所在を示す情報を対応づける例を示している。
【００３９】
媒体書き込み装置１は、ユーザＩＤ取得部７を有している。ユーザＩＤ取得部７は、記録媒体３への情報の書き込み時に、ユーザに対して付与されているユーザＩＤを取得する。ユーザＩＤは、キーボードなどを用いてユーザが入力したり、あるいは、記録媒体３とは別の磁気カード、ＩＣカード等を利用して取得することができる。あるいは、携帯電話を利用して操作したり、表示画面に認証情報を表示させて、その表示情報を取得するといったことも可能である。さらには、ユーザに固有の指紋や声紋、その他身体的な特徴を利用してもよい。
【００４０】
サーバ５は、媒体書き込み装置１から送られてくるユーザＩＤに基づいて認証を行い、またユーザＩＤと、記録媒体３に書き込んだ情報あるいはその情報の所在を示す情報などを対応づけて、インデックス情報６を保存する。図５は、本発明の情報書き込みシステムの第２の実施の形態におけるインデックス情報６の一例の説明図である。この例では単純な例として、特定されたユーザ名と、記録媒体３に書き込んだ情報の所在を示すＵＲＬとを対応づけた例を示している。もちろんこの例においても、上述の第１の実施の形態の場合と同様、各種の変形を行うことができる。
【００４１】
またサーバ５は、ネットワーク４を介して図示しないコンピュータなどから、ユーザＩＤを特定したインデックス情報６の参照要求を受け付け、認証を行った後に、要求されたユーザＩＤを有するインデックス情報６の全部または一部を返送することができる。
【００４２】
図６は、本発明の情報書き込みシステムの第２の実施の形態における動作の一例を示すフローチャートである。なお、この第２の実施の形態における動作の一例では、上述の図３に示した第１の実施の形態にける動作の説明において媒体ＩＤを用いていた部分について、ユーザＩＤを用いるようにした点が主に異なるだけであるので、重複する説明を省略することがある。もちろん、上述の第１の実施の形態と同様の変形が可能であることは言うまでもない。
【００４３】
まず媒体書き込み装置１では、Ｓ３１において、記録媒体３に書き込むべき情報を取得する。情報を取得したら、Ｓ３２において、ユーザＩＤ取得部７によってユーザＩＤを取得する。上述のように、ユーザＩＤの取得は、様々な方法を利用することができる。なお、ユーザＩＤが取得できない場合には、書き込みを行わないか、あるいはサーバ５との通信を行わずにインデックス情報を残さないように処理を行うことができる。
【００４４】
Ｓ３３において、Ｓ３１で取得した情報を記録媒体３に書き込む。正常に書き込めたら、Ｓ３４において、Ｓ３２で取得したユーザＩＤと、記録媒体３に書き込んだ情報そのもの、あるいは、その情報の所在を示す情報などのインデックス情報６の生成に必要な情報をサーバ５に対して送信する。媒体書き込み装置１の処理としてはこれで終了してもよいが、ここではＳ３５においてサーバ５からの応答を待ち、Ｓ３６において、サーバ５からの応答を判定する。肯定応答であれば正常終了し、否定応答であればエラー処理を行う。
【００４５】
サーバ５では、媒体書き込み装置１のＳ３４の処理において送信されたユーザＩＤ、及び、記録媒体３に書き込んだ情報そのもの、あるいは、その情報の所在を示す情報などのインデックス情報６の生成に必要な情報をＳ４１で受け取ると、まずＳ４２において、ユーザＩＤを用いて認証を行う。認証が成功したら、Ｓ４３において、インデックス情報６を保存する領域を確保し、確保できたか否かをＳ４４で判定する。領域を確保できたら、Ｓ４５において、インデックス情報６を生成して保存する。インデックス情報６を保存したら、Ｓ４６において、肯定応答を媒体書き込み装置１へ返送する。なお、Ｓ４２でユーザＩＤの認証に失敗した場合や、Ｓ４４で保存領域が確保できなかった場合には、Ｓ４７において、媒体書き込み装置１に対して否定応答を返送する。
【００４６】
このようにしてサーバ５に保存されたインデックス情報６は、ユーザＩＤを特定することによって利用することができる。ユーザは、例えばネットワーク４に接続された図示しないコンピュータなどから、ユーザＩＤを指定してインデックス情報６の取得をサーバ５に対して要求する。ユーザＩＤの指定は、上述のユーザＩＤ取得部７あるいはユーザＩＤ取得部７と同様の装置を用いることができる。
【００４７】
サーバ５は、ユーザからの要求に応じて、インデックス情報６のうち指定されたユーザＩＤに対応づけられているものを検索し、それぞれのインデックス情報６の一覧をユーザに返す。ユーザは、インデックス情報６の一覧から、自分が記録媒体３に書き込んだ情報の履歴を知ることができ、必要に応じて所望の情報を取得して、その情報を再利用したり、あるいは再加工して利用することができる。情報の取得は、例えばインデックス情報６の一覧を取得する際に同時に取得したり、あるいは、一覧から１ないし複数のインデックス情報６を指示することによってサーバ５から取得することができる。あるいは、インデックス情報６中に情報の所在が示されている場合には、その所在を示す情報を用いて、情報を取得することができる。
【００４８】
このようにして、この例ではいずれの記録媒体３に書き込んだかに関係なく、ユーザごとに記録媒体３に書き込んだ情報の履歴が管理され、それぞれのユーザに対応した履歴情報を利用することができる。
【００４９】
なお、上述の第１の実施の形態及び第２の実施の形態を組み合わせ、媒体ＩＤ及びユーザＩＤを用いて情報あるいは情報の所在を示す情報との対応付けを行うことも可能である。
【００５０】
本発明の応用例として、様々な用途への適用が考えられる。その一例を以下に示す。例えばオフィスなどにおいて紙の代わりに光書込表示媒体などの記録媒体を用い、上述のように記録媒体に書き込んだ情報の履歴を保存するとともに、書き込んだ情報の再利用などを可能にすることができる。
【００５１】
また、例えば生産現場において、部品や仕掛品などに添付して作業指示を作業者に伝えるために用いられる生産指示書に、光書込表示媒体などの記録媒体を用いることができる。このとき、各工程毎に作業指示を記録媒体に書き込み、内容を更新してそれぞれの工程における作業内容を指示することができる。本発明では、作業指示を書き込む毎にインデックス情報として履歴が残るので、部品が組み付けられ、また製品に至るまで、同じ記録媒体を用いることによって、当該製品の全工程を履歴として残すことができる。このようにして残されたインデックス情報を利用することによって、工程管理を行うことができる。
【００５２】
さらに、例えば電車などの乗り物に乗車する際に用いる切符に記録媒体を用いることができる。通常の紙による切符は使い捨てであるが、再書き込みが可能な光書込表示媒体などの記録媒体を用いることによって、廃棄物を大幅に減少させ、環境に対する影響を低減することができる。切符を利用する場合、必ず改札を通過するので、このとき、例えば乗車の際に改札で日付や時間などを追記し、インデックス情報を残しておくことができる。また、降車の際には改札でその切符を無効とし、あるいは乗り換えの際にも乗り換え線区の案内を表示させるなど、券面の書き換えを行うとともにインデックス情報を残すことができる。これらのインデックス情報を利用することによって、乗客の管理を行うことができるとともに、交通量などの精密な情報を取得することが可能であり、今後の運行や経営の資料として活用することができる。
【００５３】
さらにまた、店舗や商店街などで広く利用されているポイントカードなどとしても利用することができ、買い物の度に情報の書き込みを行うとともに、その履歴をインデックス情報として残しておくことができる。後でインデックス情報を参照することによって、ポイントカードの利用状況、すなわち、買い物の状況を把握することができ、今後の経営などに役立てることができる。また顧客側も、自分の過去の買い物の状況を知ることができる。
【００５４】
同様に、例えばスタンプラリーなどのイベントで用いられる台紙としても利用することができる。スタンプポイントの通過毎に情報の書き込みを行うとともに、その履歴をインデックス情報として残しておき、後でインデックス情報を参照することによって、ポイントの通過の確認や通過順序の確認などを行うことができる。もちろんこれらの応用例の他にも、種々の用途への適用が可能である。
【００５５】
図７は、本発明の情報書き込みシステムの第３の実施の形態を示すブロック図である。図中、図１と同様の部分には同じ符号を付して重複する説明を省略する。５１は顧客情報、５２は課金情報、５３はコンテンツ配信用サーバ、５４は広告配信用サーバである。上述の各実施の形態では、記録媒体に様々な用途の情報を記録する場合について説明した。どのような情報を記録するかは、例えばユーザなどが指示を行っていた。この第３の実施の形態では、予め登録を行っておけば、情報の書き込みの際にいちいちユーザが情報を特定する指示を行わなくても情報の書き込みを行うシステムの一例を示している。
【００５６】
第３の実施の形態における構成を図７に示しているが、基本的には図１に示した構成と同様であり、さらにコンテンツ配信用サーバ５３及び広告配信用サーバ５４を図示するとともに、サーバ５に顧客情報５１及び課金情報５２を図示している。もちろん、これらの構成については任意に設けるべきものである。
【００５７】
コンテンツ配信用サーバ５３は、記録媒体３に書き込むべき情報が格納されており、サーバ５あるいは媒体書き込み装置１からの要求に応じて情報を提供する。また、広告配信用サーバ５４は、記録媒体３に書き込む広告情報が格納されており、サーバ５あるいは媒体書き込み装置１からの要求に応じて広告情報を提供する。
【００５８】
顧客情報５１は、記録媒体３のユーザに関する個人情報、例えば氏名、性別、生年月日、住所、趣味・嗜好、血液型などの情報である。また課金情報５２には、クレジットカードの番号や有効期間、広告表示の可否などの情報が含まれる。
【００５９】
インデックス情報６は、この第３の実施の形態では、媒体ＩＤと、その媒体ＩＤが付与されている記録媒体に媒体書き込み装置１で書き込むべき情報とを対応づける特定情報を含むものであり、予め登録しておく情報である。図８は、本発明の情報書き込みシステムの第３の実施の形態におけるインデックス情報６の一例の説明図である。この例では、媒体ＩＤに対して、コンテンツのジャンルを特定情報として対応づけておく例を示している。例えば媒体ＩＤ“１２３４５”の記録媒体に対しては、対応づけて登録されているジャンル「ニュース（スポーツ）」で特定される情報を書き込むことが指定されている。すなわちこの例では、最新のスポーツニュースの情報が記録媒体に書き込まれることになる。
【００６０】
媒体ＩＤに特定情報として対応づけておく書き込むべき情報のジャンルとしては、図８に示した例以外でももちろんよく、スポーツ以外の経済、政治、社会、芸能などの各種のニュースや東京以外の地域あるいは全国または世界の天気予報、株価や為替あるいは商品相場情報、運勢や占い情報、店舗のセールやお買い得情報、教育、クイズ、雑学知識情報、ゲームや娯楽情報等、様々なジャンルを登録しておくことができる。また、このような情報のジャンルを登録しておくほか、検索式を登録しておいたり、特定のアドレスやファイル名などを登録しておくこともできる。
【００６１】
サーバ５は、上述のようなインデックス情報６、顧客情報５１、課金情報５２等を用い、媒体書き込み装置１が記録媒体３から取得した媒体ＩＤに対応して登録されている情報のジャンルなどの特定情報を媒体書き込み装置１に送り、あるいは特定情報に従って記録媒体３に書き込むべき情報を媒体書き込み装置１に対して直接あるいは間接的に提供する。このとき、顧客情報５１や課金情報５２を用いて、記録媒体３への情報の書き込みを許可してよいか否かを判断することができる。また、顧客情報５１や媒体ＩＤを送ってきた媒体書き込み装置１が設置されている場所、時間帯などに応じて広告情報を選択し、その広告情報が記録媒体３に書き込まれるように構成することができる。この場合も、広告情報を特定する情報を媒体書き込み装置１に送って媒体書き込み装置１が広告情報を取得するようにしてもよいし、広告情報を直接あるいは間接的に媒体書き込み装置１に送るように構成してもよい。上述のように課金情報５２として広告表示の可否の情報が含まれている場合には、この情報に従って広告情報を記録媒体３に書き込むか否かをサーバ５あるいは媒体書き込み装置１において判断することができる。
【００６２】
なお、この第３の実施の形態においても、上述の第１の実施の形態と同様に、記録媒体３に書き込んだ情報の履歴を残しておくことができる。この履歴情報は上述のように種々の用途に利用することができるが、広告の配信の際にこの履歴情報を用いて広告の選択を行うように構成することもできる。
【００６３】
次に、本発明の情報書き込みシステムの第３の実施の形態における動作の一例について説明する。まず、事前準備としてインデックス情報６や顧客情報５１、課金情報５２などの登録を行う。すなわち、記録媒体３に付加されている媒体ＩＤと、ユーザが当該記録媒体３に書き込みを希望する情報の特定情報をインデックス情報６として登録する。また、ユーザの個人情報などの顧客情報５１を登録し、さらに記録媒体３への書き込みに対して課金する場合には課金情報５２を登録する。もちろん、インデックス情報６以外は任意である。
【００６４】
このような事前登録は、オペレータが行うほか、ユーザがネットワーク４経由で行うように構成することもできる。また、媒体書き込み装置１に操作手段を設け、ユーザが操作手段を操作することによって行うように構成することもできる。
【００６５】
図９は、本発明の情報書き込みシステムの第３の実施の形態における記録媒体３への情報の書き込み時の処理の一例を示すフローチャートである。記録媒体３が媒体書き込み装置１に提示されると、媒体書き込み装置１はＳ６１において記録媒体３から媒体ＩＤを取得する。Ｓ６２において媒体ＩＤを取得できたか否かを判定し、媒体ＩＤが取得できたら、Ｓ６３において媒体ＩＤをサーバ５へ送信する。なお、媒体ＩＤが取得できなかった場合にはＳ７１においてエラーメッセージを出力して処理を終える。
【００６６】
サーバ５は、媒体書き込み装置１から送られてきた媒体ＩＤをＳ８１で受信すると、Ｓ８２において、受信した媒体ＩＤに対応するインデックス情報６が登録されているか否かを判定する。登録されていれば、さらにＳ８３において、顧客情報５１、課金情報５２などにより情報の書き込みを許可できるか否かを判定する。書き込みを許可できる場合には、Ｓ８４において、同時に広告情報を書き込むか否かを判定し、広告情報を書き込む場合にはＳ８５においてインデックス情報６から得られる媒体ＩＤに対応する特定情報と、広告を特定する情報を媒体書き込み装置１に対して送信する。広告情報を書き込まない場合には、Ｓ８６において、広告を特定する情報は送らず、インデックス情報６から得られる媒体ＩＤに対応する特定情報を送信する。
【００６７】
なお、媒体書き込み装置１に送信する特定情報は、例えば図８に示した例のように情報のジャンルが登録されている場合には具体的な情報のアドレスに変換してから送信したり、検索条件が登録されている場合には検索結果を送信するなど、登録内容そのものを送るほか、加工された特定情報を送信することができる。また、広告を特定する情報は、サーバ５において記録媒体３に書き込む広告を特定して例えば広告のアドレスを送信するほか、広告の選択は媒体書き込み装置１に任せ、選択に利用する情報を送信してもよい。
【００６８】
媒体書き込み装置１は、サーバ５から特定情報あるいはさらに広告を特定する情報をＳ６４で受け取る。Ｓ６５において、Ｓ６４で広告を特定する情報を受け取ったか否かを判定し、受け取っている場合にはＳ６６において広告を特定する情報に基づいて広告配信用サーバ５４から広告情報をダウンロードする。また、広告を特定する情報を受け取ったか否かに拘わらず、Ｓ６７において、特定情報に従ってコンテンツ配信用サーバ５３から記録媒体３に書き込むべき情報をダウンロードする。そしてＳ６８において、Ｓ６７においてダウンロードした情報、あるいはさらにＳ６６でダウンロードした広告情報を、記録媒体３に書き込む。Ｓ６９で正常に書き込みが行えたか否かを判定し、正常に書き込めた場合にはそのまま処理を終了する。また、正常に書き込みを行えなかった場合には、Ｓ７１においてエラーメッセージを出力し、処理を終える。
【００６９】
サーバ５において、媒体ＩＤに対応するインデックス情報６の登録がなかった場合や、顧客情報５１、課金情報５２などから情報の書き込みが許可できないと判断された場合には、Ｓ８７において、エラーを媒体書き込み装置１に送信する。媒体書き込み装置１では、サーバ５からエラーが返されると、Ｓ７０でこれを受信し、Ｓ７１においてエラーメッセージを出力し、処理を終える。
【００７０】
このようにして、事前登録を行っておけば、ユーザが情報を指定する操作を行わなくても、常に適切な情報が記録媒体３に書き込まれることになる。また、このような書き込み処理は課金情報などのチェックで書き込み可能であれば、何回でも行うことができる。
【００７１】
具体例としては、ユーザは記録媒体３を購入し、媒体ＩＤや書き込みを希望する情報のジャンル、必要に応じて個人情報や料金の支払い情報などを予め登録しておく。このとき、広告の要否などについても登録しておく。例えば広告を書き込む場合には料金を安価に設定するなどといった運用も可能である。また、記録媒体３の購入代金に情報料を含めておいてもよい。
【００７２】
情報のジャンルとして例えば「ニュース（スポーツ）」、広告ありとして登録したとする。ユーザが媒体書き込み装置１に購入した記録媒体３を提示すると、書き込み装置１が媒体ＩＤを読み取ってサーバ５に転送する。サーバ５では提示された記録媒体３の媒体ＩＤからインデックス情報６が登録されているか否か、及び、課金情報５２などから情報を書き込んでよいか否かなどを判断する。例えば料金を引き落とすためのクレジットカード番号が登録されていることや、記録媒体３の有効期限が到来していないこと等をチェックし、情報書き込みの可否を判断することができる。そして、情報を書き込んでよければ、この例では「ニュース（スポーツ）」に対応する特定情報を媒体書き込み装置１に送る。また、当該記録媒体３のユーザが欲する、あるいはユーザに対して送ることが効果的な広告を選択し、その広告を特定する情報を媒体書き込み装置１に対して送る。
【００７３】
サーバ５から「ニュース（スポーツ）」に対する特定情報と広告を特定する情報が送られてくると、書き込み装置１は特定情報に基づいてコンテンツ配信用サーバ５３に対して「ニュース（スポーツ）」の情報をダウンロードする。また、広告を特定する情報に基づいて広告配信用サーバ５４から広告情報をダウンロードし、「ニュース（スポーツ）」の情報と広告情報とを記録媒体３に書き込む。
【００７４】
これによって、記録媒体３には「ニュース（スポーツ）」と広告が書き込まれ、ユーザはこれらの情報を得ることができる。コンテンツ配信用サーバ５３に格納しておく「ニュース（スポーツ）」の情報を常に更新し、またサーバ５がその時々の「ニュース（スポーツ）」の情報を取り出せるように特定情報を媒体書き込み装置１に送信すれば、ユーザは記録媒体３を媒体書き込み装置１に提示すれば、その時点で最新のスポーツ情報を取得することができる。このとき、ユーザは情報の選択などを行わなくても、常に最新の情報を得ることができる。
【００７５】
なお、図９に示した動作例では、記録媒体３への情報の書き込み後については記載していないが、例えば記録媒体３への情報の書き込み後、サーバ５に対して正常終了を通知し、第１の実施の形態と同様にサーバ５において履歴を蓄積するように構成してもよい。この蓄積した履歴情報を、例えばマーケティングに利用したり、あるいは上述の広告情報の選択の際に利用するなど、種々の用途に利用することができる。
【００７６】
また、上述の動作例では、記録媒体３に書き込むべき情報を特定する特定情報（及び広告を特定する情報）を媒体書き込み装置１に送り、媒体書き込み装置１が情報をダウンロードする例を示した。本発明はこれに限らず、サーバ５が特定情報に従って記録媒体３に書き込むべき情報を取得し、あるいはさらに広告情報についても取得し、媒体書き込み装置１へ転送するように構成することもできる。あるいは、サーバ５がコンテンツ配信用サーバ５３や広告配信用サーバ５４に対して媒体書き込み装置１への送信を指示し、コンテンツ配信用サーバ５３や広告配信用サーバ５４から媒体書き込み装置１へ記録媒体３へ書き込むべき情報及び広告情報などを送信するように構成してもよい。さらに、予め媒体書き込み装置１が記録媒体３に書き込むべき情報や広告情報などをダウンロードしておき、記録媒体３が提示されて情報を書き込む際にはこれらの情報のダウンロードを行わないようにしてもよい。この場合、ターンアラウンドタイムを短縮し、またシステム負荷を軽減することができる。
【００７７】
さらに、図７に示した構成例では、コンテンツ配信用サーバ５３や広告配信用サーバ５４を別のサーバとして図示しているが、例えばサーバ５と同じサーバとして構成したり、あるいは媒体書き込み装置１にコンテンツ配信用サーバ５３や広告配信用サーバ５４の機能を持たせてもよい。もちろん、コンテンツ配信用サーバ５３や広告配信用サーバ５４が複数存在していてもかまわない。
【００７８】
【発明の効果】
以上の説明から明らかなように、本発明によれば、携帯性に優れ、環境への影響を抑え、また、何度でも書き換え可能な記録媒体に、リアルタイムに情報を記録するとともに、その情報と媒体ＩＤやユーザＩＤを対応づけたインデックス情報を保持し、履歴として残しておくことができる。
【００７９】
このインデックス情報を用いることによって、記録媒体に例えば画像などの情報に加工されて書き込まれている場合でも、その情報を必要に応じてデジタル情報として入手し、例えば再加工や再利用を容易に行うことができるという効果がある。また、インデックス情報自体を利用することによって、それぞれの記録媒体の利用状況や、ユーザによる記録媒体の利用状況などを把握し、各種の用途において利用することができる。
【００８０】
また、インデックス情報を予め登録しておき、記録媒体の媒体ＩＤから書き込むべき情報を特定して記録媒体に書き込むように構成することができる。これによって、予め登録しておけば記録媒体への書き込み時にはユーザが情報を特定する操作を行わなくても、常に適切な情報を記録媒体に書き込むことができる。ユーザは、必要な最新情報を入手することができ、また特定の記録媒体に特定の情報が掲載されることによって、直感的に電子情報を扱うことができるようになる。さらに、最適な広告の配信などを実現することができる。本発明によれば、このように種々の効果がある。
【図面の簡単な説明】
【図１】本発明の情報書き込みシステムの第１の実施の形態を示すブロック図である。
【図２】本発明の情報書き込みシステムの第１の実施の形態におけるインデックス情報６の一例の説明図である。
【図３】本発明の情報書き込みシステムの第１の実施の形態における動作の一例を示すフローチャートである。
【図４】本発明の情報書き込みシステムの第２の実施の形態を示すブロック図である。
【図５】本発明の情報書き込みシステムの第２の実施の形態におけるインデックス情報６の一例の説明図である。
【図６】本発明の情報書き込みシステムの第２の実施の形態における動作の一例を示すフローチャートである。
【図７】本発明の情報書き込みシステムの第３の実施の形態を示すブロック図である。
【図８】本発明の情報書き込みシステムの第３の実施の形態におけるインデックス情報６の一例の説明図である。
【図９】本発明の情報書き込みシステムの第３の実施の形態における記録媒体３への情報の書き込み時の処理の一例を示すフローチャートである。
【符号の説明】
１…媒体書き込み装置、２…ＩＤ取得部、３…記録媒体、４…ネットワーク、５…サーバ、６…インデックス情報、７…ユーザＩＤ取得部、５１…顧客情報、５２…課金情報、５３…コンテンツ配信用サーバ、５４…広告配信用サーバ。
【図１】
2004139548.tif 000003
【図２】
2004139548.tif 000004
【図３】
2004139548.tif 000005
【図４】
2004139548.tif 000006
【図５】
2004139548.tif 000007
【図６】
2004139548.tif 000008
【図７】
2004139548.tif 000009
【図８】
2004139548.tif 000010
【図９】
2004139548.tif 000011